(57)【特許請求の範囲】
【請求項１】
髪質改善剤使用前後における毛髪の毛根部又は頭皮近傍の毛元部分から調製した試料を液体クロマトグラフ−質量分析法で分離検出して毛髪脂質分子の組成情報を得る工程と、髪質改善剤使用前後での前記毛髪脂質分子の組成情報と髪質改善剤の使用による毛髪の髪質改善効果とを関連付ける工程を含む、髪質改善剤の評価方法。
【請求項２】
前記毛髪脂質分子がセラミド分子群である請求項１の記載の髪質改善剤の評価方法。
【請求項３】
前記セラミド分子群がノンヒドロキシアシル−ジヒドロスフィンゴシン（ＮＤＳ）類、ノンヒドロキシアシル−スフィンゴシン（ＮＳ）類、α−ヒドロキシアシル−ジヒドロスフィンゴシン（ＡＤＳ）類、及びα−ヒドロキシアシル−スフィンゴシン（ＡＳ）類から選ばれる１種以上であることを特徴とする、請求項２の記載の髪質改善剤の評価方法。
【請求項４】
被験剤使用前後における毛髪の毛根部又は頭皮近傍の毛元部分から調製した毛髪脂質試料を液体クロマトグラフ−質量分析法で分離検出し、毛髪脂質分子の組成情報を得、被験剤使用前後での毛髪脂質組成情報から、前記髪質改善剤使用前後での毛髪脂質組成情報と髪質改善剤使用前後での毛髪の髪質改善効果との関連付けに基づいて、被験剤の目的とする髪質改善効果を評価することを特徴とする、請求項１〜３のいずれか１項に記載の髪質改善剤の評価方法。
【発明の詳細な説明】
【技術分野】
【０００１】
本発明は、髪質改善剤の評価方法に関する。
【背景技術】
【０００２】
シャンプーやワックス等の外用のヘアケア剤を利用して毛髪の感触に関わる物性を改善することが可能である。例えば、セラミドをシャンプーに配合することにより毛髪表面の摩擦が低減するという報告（例えば非特許文献１参照）もあり、市場にはセラミドが配合されたシャンプー、トリートメント等のヘアケア剤が存在する。しかし、その効果は毛髪表面に関する一時的な物性の改善であり、永続的に髪質を改善するものではない。一方で、パーマやブリーチ等の化学反応型のヘアケア剤を利用して毛髪内部の物性や形状を改善することも可能である。しかし、その効果は半永続的あるいは永続的であるものの、新たに毛根から生えてくる毛髪の物性や形状を改善させるものではない。
【０００３】
外用のヘアケア剤や化学反応型のヘアケア剤を用いることなしに、半永続的あるいは永続的に毛髪の髪質（ハリコシ、ボリューム、ツヤ、くせ・うねり等）を改善するためには、毛母細胞での代謝を変えることが有効な手段である。即ち、毛髪は多数の蛋白質分子と脂質分子を主要構成成分としているので、これら分子の代謝を制御することにより、毛根から生えてくる毛髪の髪質を改善することが可能である。
【０００４】
従来の髪質改善剤の評価方法としては、切り取ったヒトの毛髪、複数本を試料とし、髪質改善剤の使用前後での曲げ性を調べることによって、髪質改善剤を評価する方法がある（例えば特許文献１参照）。
【０００５】
【非特許文献１】「インターナショナルジャーナルオブコスメティックサイエンス（International  Journal  of  Cosmetic  Science）」、第１７巻、p.１３３−１４６（１９９５年）
【０００６】
【特許文献１】特開２００５−１３４３４４号公報
【発明の開示】
【発明が解決しようとする課題】
【０００７】
しかしながら、特許文献１の方法では、毛髪が評価可能な長さ（数ｃｍ）に成長するまで髪質改善剤の使用を継続する必要があり、髪質改善剤の迅速な評価が困難であるという問題がある。
【０００８】
即ち、本発明は、髪質改善剤による髪質改善効果を迅速に評価する方法を提供することを目的とする。
【課題を解決するための手段】
【０００９】
上記課題に対して、本発明者等は、髪質改善剤使用前後の毛髪の脂質組成情報と髪質改善効果との相関関係を脂質の網羅的解析により検討した。その結果、髪質改善剤の使用により髪質が改善されると共に、毛母細胞で生合成される多数の脂質分子（特にセラミド分子群）が増減すること、及び脂質分子（特にセラミド分子群）が髪質と関連して変動する分子マーカーであることを発見した。本発明はこれらの知見に基づくものである。
【００１０】
即ち、本発明は髪質改善剤使用前後における毛髪の毛根部又は頭皮近傍の毛元部分から調製した試料を液体クロマトグラフ−質量分析法で分離検出して毛髪脂質分子の組成情報を得る工程と、髪質改善剤使用前後での前記毛髪脂質分子の組成情報と髪質改善剤の使用による毛髪の髪質改善効果とを関連付ける工程を含む、髪質改善剤の評価方法を提供するものである。
【発明の効果】
【００１１】
本発明によれば、毛髪脂質を網羅的に解析することにより、髪質改善に有意な毛髪脂質を特定することができる。また、本発明によれば、髪質改善剤使用前後における毛髪脂質組成の情報から、髪質改善剤の有効性（髪質改善効果）を的確且つ迅速に評価することができる。
【発明を実施するための最良の形態】
【００１２】
以下、図面を参照しつつ、本発明を詳細に説明する。
【００１３】
本明細書において、「髪質」とはハリコシ、ボリューム、ツヤ、くせ・うねり等を意味し、「髪質改善剤」とは上記で例示した髪質を改善する物質を意味する。また、「網羅的」とは、多種且つ微量で存在する毛髪脂質分子が含まれる試料を測定して、各脂質分子を一度の測定で分離検出することを意味する。
【００１４】
まず、毛髪脂質試料の調製方法について説明する。
本発明において、毛髪のうち毛根部又は頭皮近傍の毛元部分を使用する。毛髪は様々な外的因子（光、熱、シャンプーなど）により毛髪脂質を失う。本発明における「頭皮近傍の毛元部分」とは、このような外的因子の影響をほとんど受けておらず、毛根部とほぼ同等の毛髪脂質組成であるような、頭皮の生え際の毛髪の一部を意味している。本発明においては、毛根部又は頭皮から１ｃｍまでの毛元部分を使用するのが好ましく、毛根部を使用するのがより好ましい。
【００１５】
髪質改善剤使用前後での毛髪脂質試料を以下のように調製する。即ち、毛根又は頭皮近傍の毛元部分を採取し、クロロホルム又はメタノールを加え、一定時間放置することにより、毛髪脂質を抽出する。
【００１６】
上記のように調製した毛髪脂質試料について、液体クロマトグラフ−質量分析法で分離検出し、毛髪脂質分子の組成情報を得、その測定データを解析する。
【００１７】
次に、本発明における液体クロマトグラフ−質量分析法について図面を参照して説明する。
図１は、セラミド分子群等の脂質分子解析システムの一例のブロック図である。このシステムは、液体クロマトグラフ１０、質量分析装置２０及び演算装置３０からなっている。
【００１８】
液体クロマトグラフ１０は、溶離液ａを送液する高圧グラジエントポンプ１１、脂質試料溶液ｂを導入するオートインジェクター１２、および分離カラム１３を備えている。ここで、脂質試料溶液ｂとしては、毛髪採取物から抽出等により調製したセラミド等の脂質分子群を含む試料溶液を使用する。一方、溶離液ａとしては、セラミド等の脂質分子群を適度に保持して分子種別に分離することが可能であり、不揮発性の酸や塩を高濃度に含まないものが好ましい。例えば、溶離液ａを揮発性の酢酸アンモニウムを少量含んだメタノール溶液とすることが好ましい。
【００１９】
分離カラム１３の充填剤としては、例えば、シリカゲルにオクタデシル基を結合させた逆相カラムを用いることができる。
【００２０】
液体クロマトグラフ１０を以上のように構成することにより、脂質分子群を、疎水性の違いに基づいて分離することができる。
【００２１】
質量分析装置２０は、イオン化装置２１と質量分離検出装置２２からなる。
イオン化装置２１でのイオン化の方法としては、感度の点からエレクトロスプレーイオン化法（ＥＳＩ）が好ましいが、この他、大気圧化学イオン化法（ＡＰＣＩ）や大気圧光イオン化法（ＡＰＰＩ）等も用いることもできる。
質量分離検出装置２２は、イオン化装置２１で生成したイオンを、ｍ／ｚ毎に分離し、検出する。質量分離検出装置２２としては、四重極（Ｑ）型質量分析計、イオントラップ（ＩＴ）型質量分析計等の質量分析計、Ｑ−ＴＯＦ型、ＩＴ−ＴＯＦ型等のハイブリッド型質量分析計、あるいはトリプル四重極型等のタンデム質量分析計（ＭＳ／ＭＳ）を用いることができる。
【００２２】
尚、以上の液体クロマトグラフ１０及び質量分析装置２０としては、これらが一体になった市販の液体クロマトグラフ−質量分析装置を使用することができる。
【００２３】
演算装置３０は、液体クロマトグラフ１０における保持時間と、質量分析装置２０で検出されたｍ／ｚ及びイオン強度を、３軸に展開して多段マスクロマトグラムを形成する演算手段を有する。
【００２４】
本発明の髪質改善剤の評価方法では、質量分析装置２０で検出した全てのデータを、保持時間とｍ／ｚとイオン強度の３軸に展開した、図３および図４に示すような多段マスクロマトグラムを形成する。
【００２５】
多段マスクロマトグラムの形成により、全てのセラミド分子等の脂質分子群を網羅的に捉えることが可能となり、同属体や微量成分の認知が容易になるので、保持時間とｍ／ｚの情報から、個々のセラミド分子を容易に同定することが可能となる。
【００２６】
更に、本発明の髪質改善剤の評価方法では、セラミド分子等の脂質分子群の化学構造を同定するため、予め、複数のセラミド分子等の脂質分子について、保持時間とｍ／ｚを対応させたデータベースを構築しておくことが好ましい。このデータベースに基づいて、任意の脂質試料の多段マスクロマトグラムから脂質試料に含まれる全脂質分子を迅速に同定することが可能となる。
【００２７】
また、本発明の髪質改善剤の評価方法では、質量分析装置２０にて選択イオンモニタリング法を行うことにより、複数の特定脂質分子を高感度に検出することもできる。選択イオンモニタリング法による検出データについても、図３と同様な多段マスクロマトグラムを形成することができ、複数の特定脂質分子を高感度且つ網羅的に捉えることが可能となる。
【００２８】
内部標準法を利用することにより定量することもできる。内部標準としては、毛髪に存在しない脂質を利用することができ、例えばセラミドの場合であればＮ−ヘプタデカノイル−Ｄ−エリスロール−スフィンゴシンを用いることができる。
【００２９】
上記の方法により、髪質改善剤使用前後における毛髪の毛根部又は頭皮近傍の毛元部分での毛髪脂質分子の組成情報を得、髪質改善剤使用前後での毛髪脂質組成情報を求める。
【００３０】
本発明において、毛髪脂質分子の例としては、セラミド分子群、コレステロール、硫酸コレステロール、脂肪酸等が挙げられる。本発明においては、毛髪脂質分子はセラミド分子群であることが好ましい。
【００３１】
次に、本発明の好ましい態様としてのセラミド分子群について説明する。
セラミド分子はスフィンゴ塩基と脂肪酸がアミド結合した化合物であり、スフィンゴシンと脂肪酸の構造の違いによって、ＮＤＳ（ノンヒドロキシアシル−ジヒドロスフィンゴシン）類、ＮＳ（ノンヒドロキシアシル−スフィンゴシン）類、ＡＤＳ（α−ヒドロキシアシル−ジヒドロスフィンゴシン）類、及びＡＳ（α−ヒドロキシアシル−スフィンゴシン）類に分類される。毛髪には以下に示す合計７３種のセラミド分子が存在することが知られている。
【００３２】
【化１】
0005102658.tif 000002
【００３３】
尚、本明細書において、各セラミド分子を以下のように表記する。
【００３４】
【化２】
0005102658.tif 000003
【００３５】
上記(i)では、セラミド分子の脂肪酸部の種類を規定する。ここでＮはノンヒドロキシアシルであることを示し、Ａはα−ヒドロキシアシルであることを示す。
上記(ii)では、(i)の脂肪酸の炭素数を規定する。ここで、上記（ａ’）では「２５：１」となっているが、これは脂肪酸の炭素数が２５で、不飽和結合を１つ有することを示す。
上記(iii)では、セラミド分子のスフィンゴ塩基の種類を規定する。ここでＤＳはジヒドロスフィンゴシン又はその誘導体であることを示し、Ｓはスフィンゴシンまたはその誘導体であることを示す。
上記(iv)では、(iii)のスフィンゴ塩基の炭素数を規定する。
尚、上記（ａ）、（ｂ）、（ｃ）及び（ｄ）のセラミド分子の化学式は以下の通りである。
【００３６】
【化３】
0005102658.tif 000004
【００３７】
本発明において、液体クロマトグラフ−質量分析法で測定し、測定データを解析する毛髪脂質はセラミド分子群であることが好ましく、セラミド分子の中でもＮＤＳ類及びＮＳ類であることがより好ましい。ＮＤＳ類とＮＳ類がより好ましいのは、ＮＤＳは毛髪におけるセラミド分子群の主成分であり、ＮＳはアポトーシスや細胞分化等に関して高い生理活性を有するためである。
【００３８】
本発明において、液体クロマトグラフ−質量分析法で得られた測定データを解析することで、髪質改善剤使用前後で有意に増減する毛髪脂質を分類し、髪質改善剤使用前後での毛髪脂質組成情報をそれぞれ算出する。
【００３９】
これとは別途、髪質改善剤の使用により髪質がどの程度改善されたか、いわゆる髪質改善効果を評価する。髪質改善効果の評価方法は特に制限されることはなく、通常の方法で行うことができる。
【００４０】
上記のように算出した髪質改善剤使用前後での毛髪脂質組成情報と、髪質改善効果とを関連付けることにより、本発明を実施することができる。
【００４１】
本発明の好ましい態様としては、髪質改善剤使用前後での毛髪脂質組成情報と髪質改善効果との関連付けに基づいて、被験剤使用前後において毛髪の毛根部又は頭皮近傍の毛元部分から調製した毛髪脂質試料を液体クロマトグラフ−質量分析法で分離検出し、毛髪脂質分子の組成情報を得、被験剤使用前後での毛髪脂質組成情報を求め、求めた毛髪脂質の組成情報から、被験剤を評価する方法が挙げられる。これにより、被験剤使用により髪質がどの程度改善されたか、いわゆる髪質改善効果を評価することなく、毛髪脂質組成の情報だけで被験剤を評価することができる。
【００４２】
以下に、本発明の好ましい態様について詳細に説明する。
【００４３】
まず、被験剤の使用前後での毛髪の毛根部又は頭皮近傍の毛元部分から毛髪脂質試料を調製する。調製方法については、髪質改善剤使用前後の毛髪の毛根部又は頭皮近傍の毛元部分からの毛髪脂質試料の調製方法と同様である。
【００４４】
次に、調製した毛髪脂質試料を液体クロマトグラフ−質量分析法で分離検出し、毛髪脂質分子の組成情報を得、その測定データを解析する。液体クロマトグラフ−質量分析法での測定方法、及び解析方法についても、先に述べた方法と同様である。そして、上記解析結果を基に、被験剤の使用による毛髪脂質組成情報を算出する。組成情報の算出方法についても、先に述べた方法と同様である。その後、髪質改善剤使用前後での毛髪脂質組成情報と髪質改善効果との関連付けに基づいて、被験剤使用による毛髪脂質組成情報から被験剤の評価を行う。
【実施例】
【００４５】
以下、本発明を実施例に基づき更に詳細に説明するが、本発明はこれに限定されるものではない。
【００４６】
（１）毛髪の採取
１ヶ月以上カラリングやパーマ処理を実施していない１６名の被験者の頭皮から１ｃｍの毛元部分の毛髪、及び髪質改善剤（ユーカリエキスを３％配合した頭皮ローション）を頭皮に１年間毎日２回適用した後の同一被験者の頭皮から１ｃｍの毛元部分の毛髪を採取した。それぞれの毛髪は、天秤により毛髪重量を測定した。
【００４７】
（２）毛髪改善剤による髪質改善効果の評価
髪質改善剤使用前後の髪質改善効果の評価方法として、以下のように毛髪のカール半径を測定することによって行った。毛髪のカール半径の測定方法は、毛髪（毛先から１５ｃｍまでの部分）を高解像度スキャナーで読み込み、毛髪形状の二次元イメージを取得した後、１ｍｍ間隔で各点の接線角度を求め、隣り合う２点の接線角度から曲率を算出した。これら曲率の平均値の逆数をカール半径とした。その結果、髪質改善剤使用後において毛髪のカール半径（うねり）が有意に改善されたことを確認した（図２）。
【００４８】
（３）セラミド試料の調製
上記で採取した頭皮から１ｃｍの毛元部分の毛髪に、クロロホルム／メタノール＝２／１（体積比）溶液を加え、２４時間放置することによりセラミドを抽出した。同様に、クロロホルム／メタノール＝１／１（体積比）溶液、クロロホルム／メタノール＝１／２（体積比）溶液、クロロホルム／メタノール／水＝１８／９／１（体積比）溶液においても抽出を行い、これらの抽出液を混合した。このように調製したセラミドの抽出液を窒素気流下で乾固し、これにＮ−ヘプタデカノイル−Ｄ−エリスロール−スフィンゴシンを含むメタノールを加えて溶解し、セラミド試料を調製した。
【００４９】
（４）セラミド分子群の測定および解析
上記のように調製したセラミド試料を用いて、液体クロマトグラフ−質量分析法で網羅的な測定を行った。液体クロマトグラフ−質量分析法による測定条件は以下の通りである。
（４−１）液体クロマトグラフ−質量分析装置
液体クロマトグラフと質量分析装置が一体になった分析システムとして、アジレント社製１１００シリーズＬＣ／ＭＳＤを使用した。
（４−２）カラム、分離条件
カラム及び分離条件は次の通りとした。
分離カラム：化学物質評価研究機構、Ｌ−ｃｏｌｕｍｎ  ＯＤＳ  ２．１ｍｍΦ×１５０ｍｍ（５μｍ）
移動相：１０ｍｍｏｌ／Ｌ酢酸アンモニウム含有メタノール
移動相流速：０．２ｍＬ／分
カラム温度：４０℃
試料溶液注入量：５μＬ
（４−３）質量分析装置における分析条件
質量分析装置における分析条件は、以下の通りとした。
イオン化法：ＥＳＩ
極性：負イオン
フラグメンター電圧：２５０Ｖ
Ｖｃａｐ電圧：３０００Ｖ
ネブライザー圧力：３０ｐｓｉｇ
乾燥ガス温度：３５０℃
乾燥ガス流量：８．０Ｌ／分
ＳＩＭモニターイオン：表１
【００５０】
【表１】
0005102658.tif 000005
【００５１】
（５）測定データの解析
得られたデータを、保持時間とｍ／ｚとイオン強度の３軸を有する多段マスクロマトグラムに展開した。その結果を図３および図４に示す。その後、保持時間とｍ／ｚの情報からなるセラミド分子群のデータベースを利用して各ピークを同定した。毛髪改善剤使用前の毛髪採取物からは、図３に示すように、４１本のピークを検出することができた。一方、毛髪改善剤使用後の毛髪採取物においても、図４に示すように、４１本のピークが検出されたが、そのプロファイルは使用前（図３）と異なっていた。そして、各セラミドのピーク面積を求め、内部標準物質に対するピーク面積比を算出し、さらに毛髪重量で除することにより、単位毛髪重量当たりの各セラミド分子の絶対量を算出した。
【００５２】
上記の操作により、採取した毛髪の毛根部に含まれる各セラミドの量を測定した。その結果を表２に示す。尚、表２にはうねり緩和とセラミド量変化の相関関係も示す。
【００５３】
【表２】
0005102658.tif 000006
【００５４】
（６）髪質改善剤使用前後のセラミド分子群の組成情報と髪質改善効果との関連付け
表２の結果から、髪質改善剤使用後では、Ｎ１４ＤＳ１８、Ｎ１６ＤＳ１８、Ｎ１８ＤＳ１８、Ｎ２０ＤＳ１８、Ｎ２４ＤＳ１８、Ｎ１８：１ＤＳ１８、Ｎ２４：１ＤＳ１８、Ａ１４ＤＳ１８、Ａ１６ＤＳ１８、Ａ１８ＤＳ１８が有意に減少し、Ｎ１７ＤＳ１８、Ｎ２１ＤＳ１８、Ｎ２３ＤＳ１８、Ｎ２７ＤＳ１８、Ｎ２８ＤＳ１８、Ｎ１６：１ＤＳ１８、Ｎ２７：１ＤＳ１８、Ｎ３０：１ＤＳ１８、Ｎ１６Ｓ１８、Ｎ２２Ｓ１８、Ｎ２４Ｓ１８、Ｎ２６Ｓ１８、Ｎ２４：１Ｓ１８、Ａ１６Ｓ１８、Ａ２４Ｓ１８が有意に増加していた。即ち、脂肪酸鎖の炭素数が偶数のＮＤＳ類やＡＤＳ類は減少し、脂肪酸鎖の炭素数が奇数のＮＤＳ類、脂肪酸鎖が長鎖のＮＤＳ類、ＮＳ類、ＡＳ類は増加する傾向であった。
【００５５】
また表２に剤使用前後のカール半径の比（うねり緩和）とセラミド量の比（セラミド量変化）について、相関係数を算出した結果を示す。この結果から、脂肪酸鎖の炭素数が偶数のＮＤＳ類やＡＤＳ類に比べて、脂肪酸鎖の炭素数が奇数のＮＤＳ類、ＮＳ類、ＡＳ類ではうねり緩和と高い正の相関を示す分子種が多数認められた。
【００５６】
以上の結果より、髪質改善剤使用前後での毛髪脂質組成情報と髪質改善効果とを関連付けることによって、髪質改善剤の髪質改善効果を評価できることが確認された。
【図面の簡単な説明】
【００５７】
【図１】図１は、毛髪脂質試料を網羅的に測定、解析することができるシステムの一例のブロック図である。
【図２】実施例における、髪質改善剤使用前後の毛髪のカール半径の測定結果である。
【図３】実施例における、髪質改善剤使用前のセラミドの多段マスクロマトグラムである。
【図４】実施例における、髪質改善剤使用後のセラミドの多段マスクロマトグラムである。
【符号の説明】
【００５８】
１０  液体クロマトグラフ
１１  高圧グラジエントポンプ
１２  オートインジェクター
１３  分離カラム
２０  質量分析装置
２１  イオン化装置
２２  質量分離検出装置
３０  演算装置
ａ    溶離液
ｂ    脂質試料溶液
【図１】
0005102658.tif 000007
【図２】
0005102658.tif 000008
【図３】
0005102658.tif 000009
【図４】
0005102658.tif 000010